(57)【要約】【課題】電源ユニットが故障する前に給電元を切り替えることができる供給電源切り替え機能付装置を提供する。【解決手段】制御命令を出力し故障情報を収集する管理部２０と、管理部２０の命令により管理部２０の給電元を切り替える切り替え部４０と、切り替え部４０を介して外部電源から入力した電力を管理部２０に供給する給電部６０と、送電可能な通信網と接続し切り替え部４０を介して通信網から入力した電力を管理部２０に供給する通信部５０と、給電部６０を監視する監視部３０とを備え、管理部２０は、監視部３０により給電部６０に故障の予兆が監視されたときに、使用する電源を給電部６０から通信部５０へ切り替える命令を切り替え部４０に出力し、監視部３０から給電部６０の故障情報を収集することを特徴とする。【選択図】図５
2014160326.tif 000002
【特許請求の範囲】
【請求項１】
制御命令を出力し故障情報を収集する管理部と、
前記管理部の命令により前記管理部の給電元を切り替える切り替え部と、
前記切り替え部を介して外部電源から入力した電力を前記管理部に供給する給電部と、
送電可能な通信網と接続し前記切り替え部を介して前記通信網から入力した電力を前記管理部に供給する通信部と、
前記給電部を監視する監視部とを備え、
前記管理部は、
前記監視部により前記給電部に故障の予兆が監視されたときに、使用する電源を前記給電部から前記通信部へ切り替える命令を前記切り替え部に出力し、前記監視部から前記給電部の故障情報を収集する
ことを特徴とする供給電源切り替え機能付装置。
【請求項２】
供給電源切り替え機能付装置は、管理部に供給される電力の電圧を制御する電圧制御部を備え、
監視部は、前記電圧制御部を監視し、
管理部は、前記監視部により前記電圧制御部に故障の予兆が監視されたときに、使用する電源を前記給電部から前記通信部へ切り替える命令を前記切り替え部に出力し、前記監視部から前記電圧制御部の故障情報を収集する
請求項１記載の供給電源切り替え機能付装置。
【請求項３】
管理部は、監視部により故障の予兆が監視されていた状態で、前記故障の予兆が監視されなくなったときに、使用する電源を通信部から給電部へ切り替える命令を切り替え部に出力する
請求項１または請求項２記載の供給電源切り替え機能付装置。
【請求項４】
監視部は、給電元が管理部と同じである  
請求項１から請求項３のうちのいずれか１項に記載の供給電源切り替え機能付装置。
【請求項５】
制御命令を出力し故障情報を収集する管理部と、外部電源から入力した電力を前記管理部に供給する給電部と、送電可能な通信網と接続し前記通信網から入力した電力を前記管理部に供給する通信部とを備える装置において実行される供給電源切り替え方法であって、
前記給電部を監視し、
前記給電部に故障の予兆が監視されたときに、前記管理部が使用する電源を前記給電部から前記通信部へ切り替え、
前記給電部の故障情報を収集する
ことを特徴とする供給電源切り替え方法。
【請求項６】
装置は、管理部に供給される電力の電圧を制御する電圧制御部を備え、
前記電圧制御部を監視し、
前記電圧制御部に故障の予兆が監視されたときに、前記管理部が使用する電源を前記給電部から前記通信部へ切り替え、
前記電圧制御部の故障情報を収集する
請求項５記載の供給電源切り替え方法。
【請求項７】
故障の予兆が監視されていた状態で、前記故障の予兆が監視されなくなったときに、管理部が使用する電源を通信部から給電部へ切り替える
請求項５または請求項６記載の供給電源切り替え方法。
【請求項８】
制御命令を出力し故障情報を収集する管理部と、外部電源から入力した電力を前記管理部に供給する給電部と、送電可能な前記通信網と接続し通信網から入力した電力を前記管理部に供給する通信部とを備えるコンピュータにおいて実行される供給電源切り替えプログラムであって、
前記コンピュータに、
前記給電部を監視する監視処理、
前記給電部に故障の予兆が監視されたときに、前記管理部が使用する電源を前記給電部から前記通信部へ切り替える切り替え処理、および
前記給電部の故障情報を収集する収集処理
を実行させることを特徴とする供給電源切り替えプログラム。
【請求項９】
コンピュータは、管理部に供給される電力の電圧を制御する電圧制御部を備え、
前記コンピュータに、
前記電圧制御部を監視する監視処理、
前記電圧制御部に故障の予兆が監視されたときに、前記管理部が使用する電源を前記給電部から前記通信部へ切り替える切り替え処理、および
前記電圧制御部の故障情報を収集する収集処理を実行させる
請求項８記載の供給電源切り替えプログラム。
【請求項１０】
コンピュータに、
故障の予兆が監視されていた状態で、前記故障の予兆が監視されなくなったときに、管理部が使用する電源を通信部から給電部へ切り替える切り替え処理を実行させる
請求項８または請求項９記載の供給電源切り替えプログラム。
【発明の詳細な説明】
【技術分野】
【０００１】
本発明は、供給電源切り替え機能付装置、供給電源切り替え方法および供給電源切り替えプログラムに関する。
【背景技術】
【０００２】
パーソナルコンピュータ（以下、ＰＣという。）としての役割を担うサーバ装置に設けられたマネージメントコントローラは、サーバ装置本体を管理する機能を有する。マネージメントコントローラは、一般的にサーバ装置本体の電源ユニットから給電されている。
【０００３】
サーバ装置本体の電源ユニットに異常が生じると、マネージメントコントローラへの給電も遮断される。この時、サーバ装置の管理者は、マネージメントコントローラが停止しているため電源を監視できず、電源の故障に関する情報を何も得ることができない。
【０００４】
その対策の一つとして、ＡＣ（Ａｌｔｅｒｎａｔｉｎｇ  Ｃｕｒｒｅｎｔ）アダプタを用意し、電源ユニットとは別のマネージメントコントローラへの給電元を設ける方法がある。
【０００５】
しかし、上記の対策の場合、サーバ装置用とは別にＡＣアダプタ用の電源コンセントを用意することが求められる。また、長時間使用した場合におけるＡＣアダプタの温度上昇への考慮等も求められるため、サーバ装置の管理者にとって余計な管理作業が発生する。
【０００６】
特許文献１には、ＡＣ電源からの電力の入力が遮断されると、自動的に電力の入力先をＰｏＥ（Ｐｏｗｅｒ  ｏｖｅｒ  Ｅｔｈｅｒｎｅｔ（登録商標））電源へ切り替える方法が記載されている。
【０００７】
ＰｏＥは、Ｅｔｈｅｒｎｅｔ（登録商標）の配線で利用されるカテゴリ５以上のＵＴＰ（Ｕｎｓｈｉｅｌｄｅｄ  Ｔｗｉｓｔ  Ｐａｉｒ）ケーブル（より対線）を通じて電力を供給する技術である。
【０００８】
特許文献１に記載された方法では、ＡＣアダプタを用いることなく電源ユニット故障時もマネージメントコントローラによる電源異常の通報や故障情報の提供ができるため、上述したＡＣアダプタに関する余計な管理作業が発生しない。
【先行技術文献】
【特許文献】
【０００９】
【特許文献１】特開２０１１−１８２０１６号公報
【発明の概要】
【発明が解決しようとする課題】
【００１０】
しかし、特許文献１に記載された方法では、電源が故障してから給電方法を切り替えているため、サーバ装置の管理者は、給電方法が切り替わっている間給電されていないマネージメントコントローラを使用できない。
【００１１】
そこで、本発明は、電源ユニットが故障する前に給電元を切り替えることができる供給電源切り替え機能付装置、供給電源切り替え方法および供給電源切り替えプログラムを提供することを目的とする。
【課題を解決するための手段】
【００１２】
本発明による供給電源切り替え機能付装置は、制御命令を出力し故障情報を収集する管理部と、管理部の命令により管理部の給電元を切り替える切り替え部と、切り替え部を介して外部電源から入力した電力を管理部に供給する給電部と、送電可能な通信網と接続し切り替え部を介して通信網から入力した電力を管理部に供給する通信部と、給電部を監視する監視部とを備え、管理部は、監視部により給電部に故障の予兆が監視されたときに、使用する電源を給電部から通信部へ切り替える命令を切り替え部に出力し、監視部から給電部の故障情報を収集することを特徴とする。
【００１３】
本発明による供給電源切り替え方法は、制御命令を出力し故障情報を収集する管理部と、外部電源から入力した電力を管理部に供給する給電部と、送電可能な通信網と接続し通信網から入力した電力を管理部に供給する通信部とを備える装置において実行される供給電源切り替え方法であって、給電部を監視し、給電部に故障の予兆が監視されたときに、管理部が使用する電源を給電部から通信部へ切り替え、給電部の故障情報を収集することを特徴とする。
【００１４】
本発明による供給電源切り替えプログラムは、制御命令を出力し故障情報を収集する管理部と、外部電源から入力した電力を管理部に供給する給電部と、送電可能な通信網と接続し通信網から入力した電力を管理部に供給する通信部とを備えるコンピュータにおいて実行される供給電源切り替えプログラムであって、コンピュータに、給電部を監視する監視処理、給電部に故障の予兆が監視されたときに、管理部が使用する電源を給電部から通信部へ切り替える切り替え処理、および給電部の故障情報を収集する収集処理を実行させることを特徴とする。
【発明の効果】
【００１５】
本発明によれば、電源ユニットが故障する前に給電元を切り替えることができる。
【図面の簡単な説明】
【００１６】
【図１】本発明による供給電源切り替え機能付装置の実施形態の構成例を示すシステム構成図である。
【図２】サーバ装置１００の構成例を示すブロック図である。
【図３】サーバ装置１００の構成例を示すブロック図である。
【図４】サーバ装置１００の切り替え処理の動作を示すフローチャートである。
【図５】供給電源切り替え機能付装置の概要を示すブロック図である。
【発明を実施するための形態】
【００１７】
以下、本発明の実施形態を図面を参照して説明する。図１は、本発明による供給電源切り替え機能付装置の実施形態の構成例を示すシステム構成図である。
【００１８】
図１には、供給電源切り替え機能を有するサーバ装置１００が、ネットワーク機器２００と外部電源３００にそれぞれ接続されている例が示されている。
【００１９】
サーバ装置１００は、サーバ装置１００自身の給電元として、外部電源３００と電力供給可能なネットワーク機器２００とを切り替える機能を有する。
【００２０】
また、サーバ装置１００は、外部電源３００から電力を入力するサーバ装置１００の電源ユニットに故障の予兆を検出すると、給電元を外部電源３００からネットワーク機器２００へ切り替える。このように、サーバ装置１００は、電源ユニット故障による電源断が起きる前に通信網経由の給電方法に切り替えることができる。
【００２１】
ネットワーク機器２００は、通信網を経由して電力を入力する機能を有する。ネットワーク機器２００は、入力した電力をサーバ装置１００に対して供給する。ネットワーク機器２００は、例えば、ＰｏＥを使用して電力を入力する。
【００２２】
外部電源３００は、サーバ装置１００に対して電力を供給する機能を有する。外部電源３００は、商用電源やＵＰＳ（Ｕｎｉｎｔｅｒｒｕｐｔｉｂｌｅ  Ｐｏｗｅｒ  Ｓｕｐｐｌｙ：無停電電源装置）等である。
【００２３】
次に、サーバ装置１００の詳細な構成を図２を参照して説明する。図２は、サーバ装置１００の構成例を示すブロック図である。なお、図３は、サーバ装置１００の他の構成例を示すブロック図である。
【００２４】
また、図２および図３に示されるサーバ装置１００内の実線は電力の経路である電源線を、サーバ装置１００内の点線は電力以外の制御信号等の経路をそれぞれ意味している。また、リモート管理ポート１３０とマネージメントコントローラ１１０とを結ぶ二重線は、ＬＡＮ（Ｌｏｃａｌ  Ａｒｅａ  Ｎｅｔｗｏｒｋ）を意味している。
【００２５】
図２に示すサーバ装置１００は、マネージメントコントローラ１１０と、マネージメントコントローラ周辺回路用レギュレータ１２０と、リモート管理ポート１３０と、電源監視用センサ１４０と、スイッチ１５０と、サーバ装置用電源ユニット１６０と、マザーボード電圧レギュレータモジュール１７０とを備えている。
【００２６】
マネージメントコントローラ１１０は、電源監視用センサ１４０と、スイッチ１５０とを制御する機能を有する。また、マネージメントコントローラ１１０は、故障等に関する各部の情報を取得する。
【００２７】
サーバ装置用電源ユニット１６０は、外部電源３００から入力した電力を、サーバ装置１００の各部に供給する機能を有する。外部電源３００が交流電源である場合、サーバ装置用電源ユニット１６０は、直流に変換して各部に給電してもよい。
【００２８】
正常に給電可能な状態である場合、サーバ装置用電源ユニット１６０は、マネージメントコントローラ１１０と電源監視用センサ１４０とに給電する機能を有する。サーバ装置用電源ユニット１６０は、スイッチ１５０を経由し、マネージメントコントローラ周辺回路用レギュレータ１２０を介して給電する。
【００２９】
マザーボード電圧レギュレータモジュール１７０は、マザーボードの上に埋め込まれているデバイスであり、プロセッサへの電圧を規制する機能を有する。マザーボード電圧レギュレータモジュール１７０は、マザーボードに導入されたデバイスでもよい。
【００３０】
図２および図３に示される、マザーボード電圧レギュレータモジュール１７０から上に伸びる電源線は、電圧が規制された電力を提供する機能を有する。提供される電力の電圧値は、３．３Ｖ（ボルト）、５Ｖ、または１２Ｖなどである。
【００３１】
マネージメントコントローラ１１０は、通常時はマネージメントコントローラ周辺回路用レギュレータ１２０を介してサーバ装置用電源ユニット１６０から電力を供給されている。すなわち、サーバ装置用電源ユニット１６０が故障すると電力が供給されないので、マネージメントコントローラ１１０は稼働できない。
【００３２】
また、マザーボード電圧レギュレータモジュール１７０が故障すると、電圧が規制された正常な電力が提供されないため、マネージメントコントローラ１１０は正常に稼働できない。
【００３３】
その結果、サーバ装置１００の管理者は、マネージメントコントローラ１１０から得られるサーバ装置用電源ユニット１６０とマザーボード電圧レギュレータモジュール１７０に関する故障情報を得ることができない。
【００３４】
このような状況に備え、マネージメントコントローラ１１０は、電源監視用センサ１４０を介してサーバ装置用電源ユニット１６０とマザーボード電圧レギュレータモジュール１７０の状態を監視する機能を有する。
【００３５】
また、マネージメントコントローラ１１０は、サーバ装置用電源ユニット１６０とマザーボード電圧レギュレータモジュール１７０の状態に基づき、スイッチ１５０を制御する機能を有する。
【００３６】
サーバ装置用電源ユニット１６０またはマザーボード電圧レギュレータモジュール１７０の故障の予兆を検出した場合、マネージメントコントローラ１１０は、故障による電源断が起きる前に、給電方法を通信網経由による給電方法に切り替えるようにスイッチ１５０へ命令を出力する。
【００３７】
その結果、サーバ装置用電源ユニット１６０またはマザーボード電圧レギュレータモジュール１７０の故障時も、マネージメントコントローラ１１０は、サーバ装置の管理者に対して継続して電源異常の通報や故障情報の提供ができる。
【００３８】
マネージメントコントローラ周辺回路用レギュレータ１２０は、マネージメントコントローラ１１０の周辺回路に出力される電圧および電流を、常にあらかじめ定められている値に保つように制御する機能を有する。スイッチ１５０からマネージメントコントローラ１１０および電源監視用センサ１４０へ供給される電力は、マネージメントコントローラ周辺回路用レギュレータ１２０を経由する。
【００３９】
リモート管理ポート１３０は、ネットワーク機器２００とデータを入出力するインタフェースである。リモート管理ポート１３０は、ネットワーク機器２００から入力した電力を、スイッチ１５０を介してマネージメントコントローラ周辺回路用レギュレータ１２０へ出力する。マネージメントコントローラ１１０は、図２および図３に示されるＬＡＮを経由して、リモート管理ポート１３０およびネットワーク機器２００と接続する。
【００４０】
電源監視用センサ１４０は、サーバ装置用電源ユニット１６０とマザーボード電圧レギュレータモジュール１７０の故障の予兆を示す信号を取得し、マネージメントコントローラ１１０へ出力する機能を有する。電源監視用センサ１４０は、例えば、電源の温度異常を監視する。
【００４１】
スイッチ１５０は、マネージメントコントローラ１１０からの指示に基づき、マネージメントコントローラ１１０と電源監視用センサ１４０への給電元を切り替える機能を有する。
【００４２】
例えば、サーバ装置用電源ユニット１６０が正常に給電可能な状態であるとき、マネージメントコントローラ１１０は、図２に示すように、スイッチ１５０の端子１と端子３を接続するようにスイッチ１５０に指示する。
【００４３】
その結果、サーバ装置用電源ユニット１６０は、スイッチ１５０を経由し、マネージメントコントローラ周辺回路用レギュレータ１２０を介して、マネージメントコントローラ１１０と電源監視用センサ１４０とに給電できる。
【００４４】
また、例えば、サーバ装置用電源ユニット１６０またはマザーボード電圧レギュレータモジュール１７０から故障の予兆が検出されたとき、マネージメントコントローラ１１０は、図３に示すように、スイッチ１５０の端子２と端子３を接続するようにスイッチ１５０に指示する。
【００４５】
その結果、リモート管理ポート１３０は、スイッチ１５０を経由し、マネージメントコントローラ周辺回路用レギュレータ１２０を介して、マネージメントコントローラ１１０と電源監視用センサ１４０とに給電できる。
【００４６】
なお、本実施形態におけるマネージメントコントローラ１１０、マネージメントコントローラ周辺回路用レギュレータ１２０、電源監視用センサ１４０、スイッチ１５０、サーバ装置用電源ユニット１６０は、例えば、プログラムに従って動作するＣＰＵ（Ｃｅｎｔｒａｌ  Ｐｒｏｃｅｓｓｉｎｇ  Ｕｎｉｔ）によって実現される。
【００４７】
また、リモート管理ポート１３０は、例えば、プログラムに従って動作するＣＰＵと、ネットワークカード等の通信制御装置とによって実現される。
【００４８】
以下、本発明の動作を図４のフローチャートを参照して説明する。図４は、サーバ装置１００の切り替え処理の動作を示すフローチャートである。
【００４９】
マネージメントコントローラ１１０は、電源監視用センサ１４０を介して、定期的にサーバ装置用電源ユニット１６０とマザーボード電圧レギュレータモジュール１７０とを監視する（ステップＳ１０１）。
【００５０】
監視の結果、マネージメントコントローラ１１０は、サーバ装置用電源ユニット１６０とマザーボード電圧レギュレータモジュール１７０に故障の予兆が有るか否か確認する（ステップＳ１０２）。
【００５１】
サーバ装置用電源ユニット１６０またはマザーボード電圧レギュレータモジュール１７０に故障の予兆を検出したとき（ステップＳ１０２のＹｅｓ）、マネージメントコントローラ１１０は、スイッチ１５０に給電方法を通信網経由の給電方法へ切り替える命令を出力する（ステップＳ１０３）。
【００５２】
命令を入力したスイッチ１５０は、端子２と端子３を接続する（ステップＳ１０５）。端子２と端子３が接続されることで、リモート管理ポート１３０は、電力供給可能なネットワーク機器２００から入力した電力を、スイッチ１５０を経由しマネージメントコントローラ周辺回路用レギュレータ１２０を介して、マネージメントコントローラ１１０および電源監視用センサ１４０に供給できる。
【００５３】
スイッチ１５０に切り替え命令を出力することにより、マネージメントコントローラ１１０は、サーバ装置用電源ユニット１６０またはマザーボード電圧レギュレータモジュール１７０の故障に備える。その結果、サーバ装置用電源ユニット１６０またはマザーボード電圧レギュレータモジュール１７０が故障しても、マネージメントコントローラ１１０は、継続して電源異常の通報や故障情報の提供ができる。
【００５４】
サーバ装置用電源ユニット１６０およびマザーボード電圧レギュレータモジュール１７０から故障の予兆が検出されなくなったとき（ステップＳ１０２のＮｏ）、マネージメントコントローラ１１０は、スイッチ１５０に給電方法をサーバ装置用電源ユニット１６０による給電方法へ切り替える命令を出力する（ステップＳ１０４）。
【００５５】
命令を入力したスイッチ１５０は、端子１と端子３を接続する（ステップＳ１０６）。端子１と端子３が接続されることで、サーバ装置用電源ユニット１６０は、外部電源３００から入力した電力を、スイッチ１５０を経由しマネージメントコントローラ周辺回路用レギュレータ１２０を介して、マネージメントコントローラ１１０および電源監視用センサ１４０に供給する。
【００５６】
本実施形態の供給電源切り替え機能付装置を使用した場合、電源ユニットが故障した時も継続して電源異常の通報や故障情報の提供ができる。その理由は、マネージメントコントローラが電源ユニット故障の予兆を監視することによって、電源ユニットが故障しマネージメントコントローラへ給電されなくなる前に、マネージメントコントローラへの給電方法を切り替えることができるためである。
【００５７】
本実施形態の供給電源切り替え機能付装置を使用した場合、ＡＣアダプタ用の電源コンセントは不要となる。その理由は、電源ユニットによる給電方法以外に、通信網経由の給電方法を使用しているためである。また、ＡＣアダプタを使用しないため、長時間使用によって発生するＡＣアダプタの温度上昇等を考慮する必要はない。
【００５８】
次に、本発明の概要を説明する。図５は、供給電源切り替え機能付装置の概要を示すブロック図である。本発明による供給電源切り替え機能付装置１０は、制御命令を出力し故障情報を収集する管理部２０（例えば、マネージメントコントローラ１１０）と、管理部２０の命令により管理部２０の給電元を切り替える切り替え部４０（例えば、スイッチ１５０）と、切り替え部４０を介して外部電源から入力した電力を管理部２０に供給する給電部６０（例えば、サーバ装置用電源ユニット１６０）と、送電可能な通信網と接続し切り替え部４０を介して通信網から入力した電力を管理部２０に供給する通信部５０（例えば、リモート管理ポート１３０）と、給電部６０を監視する監視部３０（例えば、電源監視用センサ１４０）とを備え、管理部２０は、監視部３０により給電部６０に故障の予兆が監視されたときに、使用する電源を給電部６０から通信部５０へ切り替える命令を切り替え部４０に出力し、監視部３０から給電部６０の故障情報を収集することを特徴とする。
【００５９】
そのような構成により、供給電源切り替え機能付装置を使用する場合、使用するユーザは、電源ユニットが故障する前に給電元を切り替えることができる。
【００６０】
供給電源切り替え機能付装置１０は、管理部２０に供給される電力の電圧を制御する電圧制御部を備え、監視部３０は、電圧制御部を監視し、管理部２０は、監視部３０により電圧制御部に故障の予兆が監視されたときに、使用する電源を給電部６０から通信部５０へ切り替える命令を切り替え部４０に出力し、監視部３０から電圧制御部の故障情報を収集してもよい。
【００６１】
そのような構成により、供給電源切り替え機能付装置を使用する場合、使用するユーザは、電圧の値が制御されていない電力が管理部２０に供給されることを回避できる。
【００６２】
管理部２０は、監視部３０により故障の予兆が監視されていた状態で、故障の予兆が監視されなくなったときに、使用する電源を通信部５０から給電部６０へ切り替える命令を切り替え部４０に出力してもよい。
【００６３】
そのような構成により、供給電源切り替え機能付装置を使用する場合、使用するユーザは、故障していた電源ユニットが修理された後は、通常通り電源ユニットを給電元として使用できる。
【００６４】
監視部３０は、給電元が管理部２０と同じでもよい。
【００６５】
そのような構成により、供給電源切り替え機能付装置を使用する場合、使用するユーザは、監視部３０のみが電源断により稼働しない状況を回避できる。
【００６６】
また、図５に示される実線は電力の経路である電源線を、点線は電力以外の制御信号等の経路をそれぞれ意味している。
【符号の説明】
【００６７】
１〜３  端子
１０  供給電源切り替え機能付装置
２０  管理部
３０  監視部
４０  切り替え部
５０  通信部
６０  給電部
１００  サーバ装置
１１０  マネージメントコントローラ
１２０  マネージメントコントローラ周辺回路用レギュレータ
１３０  リモート管理ポート
１４０  電源監視用センサ
１５０  スイッチ
１６０  サーバ装置用電源ユニット
１７０  マザーボード電圧レギュレータモジュール
２００  ネットワーク機器
３００  外部電源
【図１】
2014160326.tif 000003
【図２】
2014160326.tif 000004
【図３】
2014160326.tif 000005
【図４】
2014160326.tif 000006
【図５】
2014160326.tif 000007